(57)【要約】【課題】コストが嵩まない簡便な手段により、電気コードのコード本体に、該コード本体の片端側に取り付けた機器が吊り降ろされた距離を表示する印をコード本体の長さに応じた必要な数だけ付して、その距離を測定できるようにする。【解決手段】コード本体２の片端側に、該コード本体２で吊り降ろすようにして使用する温度センサ３が取り付けられ、該温度センサ３が吊り降ろされた距離を１ｍ刻みで表示するマーカー７及び８等が、コード本体２の長さ方向に沿って付設されると共に、各々個別にかぶせられた透明な熱収縮性チューブ１１によってコード本体２の表面に固定されている。【選択図】図１
2007018806.tif 000002
【特許請求の範囲】
【請求項１】
コード本体の片端側に、該コード本体で吊り降ろすようにして使用する機器が取り付けられた電気コードにおいて、前記機器が吊り降ろされた距離を表示するマーカーが、コード本体の長さ方向に沿って一定の間隔で付設されると共に、各々個別にかぶせられた透明な熱収縮性チューブによってコード本体の表面に固定されていることを特徴とする電気コード。
【請求項２】
前記マーカーが、距離の長さを表す数字が記された割リングと、長さの単位を表す文字が記された割リングとを互いに隣接して並ぶように前記コード本体の外周部に嵌め付けて構成されている請求項１記載の電気コード。
【請求項３】
前記割リングに、隣接する割リングと嵌合する位置ずれ防止用の凸部と凹部が形成されている請求項２記載の電気コード。
【請求項４】
前記コード本体の片端側に、前記機器となる温度センサが取り付けられ、そのコード本体の他端側に、前記温度センサの温度検出信号を出力する端子となるＵＳＢプラグが取り付けられている請求項１、２又は３記載の電気コード。
【発明の詳細な説明】
【技術分野】
【０００１】
本発明は、電線やケーブルで成るコード本体の片端側に、該コード本体で吊り降ろすようにして使用する機器が取り付けられた電気コードに関する。
【背景技術】
【０００２】
例えば、日本酒を醸造する際は、タンク内でもろみを発酵させる発酵工程における温度管理や、防腐のために火入れした酒をタンク内に一定期間貯蔵して香味を熟成させる貯蔵工程における温度管理等が重要とされているので、長い紐に結わえたアルコール封入ガラス温度計等の棒状温度計をタンクの上方からタンク内に吊り降ろして、タンク内に貯蔵されたもろみや酒の水温を測定し、その測定結果に基づいてタンクの加熱／冷却温度を手動で調節するのが一般的であるが、最近は、棒状温度計に代えて、電子温度計でタンク内の水温を測定し、その測定データに基づいてタンクの加熱／冷却温度を自動的に調節する温度制御システムが普及しつつある。この種のシステムに使用する電子温度計は、長尺の電気コードに取り付けられた温度センサをタンク内に吊り降ろしてそのタンク内に貯留された液体の水温を測定する構成となっている。
【０００３】
ところで、タンク内で加熱／冷却される液体の温度は、各部均一ではなく、水深によってその温度が異なるから、タンク内に貯留された液体の温度を適正に管理するためには、基準となる一定の水深まで温度センサを吊り降ろして水温を測定する必要がある。そこで本発明者は、例えば図３の如くコード本体３２の表面に該コード本体３２がプラグ３３を取り付けた片端側から繰り出された長さを表示する目盛３４が付されている電気コード３１（特許文献１参照）と同様に、電気コードのコード本体の表面に該コード本体の片端側に取り付けた温度センサが吊り降ろされる距離を表示する目盛のようなものを付することを思いついたが、コード本体となる電線やケーブルの表面に目盛を印刷する加工は高度な技術を要し、その加工を行うためには、特殊な印刷機を開発しなければならないから、開発費や設備費、加工コスト等が著しく嵩むという問題がある。また、シースの表面に長さを表示する目盛が印刷された電線やケーブルの市販品は、見当たらず、入手困難である。まして、例えば５ｍや１０ｍという必要な長さ分だけその長さを表示する目盛が印刷された電線やケーブルは入手不能である。
【特許文献１】実開昭６１−７２５６８号公報
【発明の開示】
【発明が解決しようとする課題】
【０００４】
本発明は、開発費や設備費、加工コスト等が嵩まない簡便な手段により、電気コードのコード本体に、該コード本体の片端側に取り付けた機器が吊り降ろされた距離を表示する印をコード本体の長さに応じた必要な数だけ付して、その距離を測定できるようにすることを技術的課題としている。
【課題を解決するための手段】
【０００５】
上記課題を解決するために、本発明は、コード本体の片端側に、該コード本体で吊り降ろすようにして使用する機器が取り付けられた電気コードにおいて、前記機器が吊り降ろされた距離を表示するマーカーが、コード本体の長さ方向に沿って一定の間隔で付設されると共に、各々個別にかぶせられた透明な熱収縮性チューブによってコード本体の表面に固定されていることを特徴とする。
【発明の効果】
【０００６】
本発明によれば、電気コードのコード本体の片端側に取り付けられた機器をコード本体で吊り降ろすようにして使用する際に、その機器が吊り降ろされた距離をコード本体に付設されたマーカーによって測定することができる。また、マーカーは、コード本体の長さ方向に沿って一定の間隔で付設し、各々個別にかぶせられた透明な熱収縮性チューブによってコード本体の表面に固定するだけの簡便な加工により、コード本体の長さに応じた必要な数だけ設けることができる。更に、熱収縮性チューブは、コード本体の長さ方向に沿って一定の間隔で付設された各マーカーごとに個別にかぶせるので、コード本体の可撓性を損なうおそれも少ない。
【発明を実施するための最良の形態】
【０００７】
本発明に係る電気コードの最良の実施形態は、長尺の電線もしくはケーブルで成るコード本体の片端側に、該コード本体で吊り降ろすようにして使用する温度センサ等の機器が取り付けられ、該機器が吊り降ろされた距離を表示するマーカーが、コード本体の長さ方向に沿って１ｍ間隔あるいは０．５ｍ間隔で付設されると共に、各々個別にかぶせられた透明な熱収縮性チューブによってコード本体の表面に固定されている。
【０００８】
そして、マーカーは、距離の長さを表す数字が記された割リングと、長さの単位を表す文字が記された割リングとを互いに隣接して並ぶようにコード本体の外周部に嵌め付けて構成されている。すなわち、例えば、温度センサが取り付けられコード本体の片端から１ｍ離れたコード本体の外周部に、距離の長さを表す数字「１」が記された割リングと、長さの単位がメートルであることを表す欧文字「Ｍ」が記された割リングとが互いに隣接して並ぶように嵌め付けられて、温度センサが吊り降ろされた距離が１メートルであることを表示する「１Ｍ」のマーカーを構成している。また、コード本体の片端から１０ｍ離れたコード本体の外周部には、数字「１」が記された割リングと、数字「０」が記された割リングと、欧文字「Ｍ」が記された割リングとが互いに隣接して並ぶように嵌め付けられて、温度センサが吊り降ろされた距離が１０メートルであることを表示する「１０Ｍ」のマーカーを構成している。
【０００９】
また、各マーカーをコード本体に固定する熱収縮性チューブは、各マーカーごとにその全体を覆うようにかぶせて熱収縮させたときに、前後両端側がコード本体の表面に対して直接密着し得る程度の一定の長さにカットされている。また、該チューブとしては、耐薬品性、電気絶縁性、耐水性に優れたポリエチレン熱収縮性チューブや、耐薬品性等に優れるのみならず、汚れも付着し難いという優れた特性を有するフッ素樹脂熱収縮性チューブ等が用いられる。
【実施例】
【００１０】
図１は本発明に係る電気コードの一例を示す平面図、図２はその電気コードのコード本体に付設するマーカーを構成する部材と各マーカーをコード本体の表面に固定する熱収縮性チューブを示す斜視図である。
【００１１】
本例の電気コード１は、全長１０ｍのフレックスコードで成るコード本体２の片端側に、ステンレス製の感温筒４内にサーミスタ等の感温体５を設けて成る温度測定範囲−３０〜１５０℃の温度センサ３が取り付けられ、そのコード本体２の他端側に、温度センサ３の温度検出信号を出力する端子となるＵＳＢプラグ６が取り付けられている。
【００１２】
そして、コード本体２には、温度センサ３が吊り降ろされた距離を表示するマーカー７及び８等が、温度センサ３が取り付けられたコード本体２の片端側からその長さ方向に沿って１ｍ間隔で計１０箇所付設されると共に、各々個別にかぶせられた透明な熱収縮性チューブ１１によってコード本体２の表面に固定されている。すなわち、温度センサ３が取り付けられたコード本体２の片端から１ｍ離隔した箇所に、「１Ｍ」の距離を表示するマーカー７が付設され、また、図示は省略するが、コード本体２の片端から２ｍ、３ｍ、４ｍ、５ｍ、６ｍ、７ｍ、８ｍ及び９ｍ離隔した各箇所に、夫々「２Ｍ」、「３Ｍ」、「４Ｍ」、「５Ｍ」、「６Ｍ」、「７Ｍ」、「８Ｍ」及び「９Ｍ」の距離を表示するマーカーが付設され、更に、コード本体２の片端から１０ｍ離隔した箇所に、「１０Ｍ」の距離を表示するマーカー８が付設されている。
【００１３】
各マーカー７及び８等は、距離の長さを表す一桁十通りの数字「０」〜「９」が記された割リングＲ０〜Ｒ９と、長さの単位がメートルであることを表す欧文字「Ｍ」が記された割リングＲｍとを組み合せることによって、「１Ｍ」〜「１０Ｍ」の距離を表示する構成となっている。すなわち、例えば「１Ｍ」の距離を表示するマーカー７は、数字「１」が記された割リングＲ１と、欧文字「Ｍ」が記された割リングＲｍとを互いに隣接して並ぶようにコード本体２の外周部に嵌め付けて構成され、また、「１０Ｍ」の距離を表示するマーカー８は、数字「１」が記された割リングＲ１と、数字「０」が記された割リングＲ０と、欧文字「Ｍ」が記された割リングＲｍとを互いに隣接して並ぶようにコード本体２の外周部に嵌め付けて構成されている。
【００１４】
割リングＲ０〜Ｒ９及びＲｍは、コード本体２の外周部に嵌め付けた状態でコード本体２の長さ方向に沿って摺動させることができる程度のリング径を有した金属製又はプラスチック製の割リングで成ると共に、表面に数字「０」〜「９」や欧文字「Ｍ」が記される部分がリングの軸方向と並行する方向に「く」の字形に屈曲されることにより、位置ずれ防止用の凸部９と凹部１０とが形成され、当該凸部９及び凹部１０を隣接する割リングの凹部１０及び凸部９と嵌合させることにより、距離を表示する数字や欧文字がリングの径方向に摺り動いて齟齬した状態となることを防止する構成となっている。
【００１５】
なお、割リングＲ０〜Ｒ９及びＲｍは、コード本体２の片端側に温度センサ３を取り付ける前に、その片端側からマーカー７及び８等を構成し得る所定の配列でコード本体２に外嵌し、次いで、透明な熱収縮性チューブ１１をコード本体２の片端側からマーカーの数に相当する本数分だけコード本体２に外嵌し、それらチューブ１１を各マーカー７及び８等にかぶせた状態で熱収縮させることによって、各マーカー７及び８等がコード本体２の表面に各々個別に固定される。
【００１６】
また、熱収縮性チューブ１１は、マーカー７及び８等にかぶせ易くするために、各マーカーを構成する割リングＲ０〜Ｒ９及びＲｍの外径よりも若干大きめの内径を有すると共に、マーカー７及び８等にかぶせて熱収縮させたときに、前後両端側がコード本体２の表面に対して直接密着し得る程度の一定の長さにカットされた透明なポリエチレン熱収縮性チューブやフッ素樹脂熱収縮性チューブ等で形成されている。なお、熱収縮性チューブ１１は、無色透明に限らず、着色透明であってもよい。
【００１７】
以上の如く構成された電気コード１は、コード本体２の片端側に取り付けられた温度センサ３を例えば日本酒を醸造するタンク内や魚を養殖する生簀内等に吊り降ろす際に、その吊り降ろす距離を測定することができるから、一定の水深ところでその水温を測定することが可能となる。また、電気コード１は、コード本体２の外周部に割リングＲ０〜Ｒ９及びＲｍを適宜な組合せで嵌め付けて、１０ｍまでの距離を１ｍ刻みで表示するマーカー７及び８等を付設し、それら各マーカーを透明な熱収縮性チューブ１１でコード本体２の表面に固定するだけの簡便な手段によって、コード本体２に温度センサ３が吊り降ろされた距離を表示する印を付することができるから、該電気コード１を製作するための設備費や加工コストも嵩まない。
【００１８】
なお、マーカー７及び８等は、複数の割リングＲ０〜Ｒ９及びＲｍを組み合せて距離を表示する構成となっているが、本発明のマーカーは、これに限るものではなく、単一の割リングで距離を表示するものであってもよい。また、割リングの代わりに、金属箔とプラスチックフィルムで成る積層フィルムの表面に距離を表示する数字と文字が印刷されると共に、その裏面に粘着剤が塗工された粘着シールをコード本体２の表面に貼り付け、該粘着シールの上から透明な熱収縮性チューブ１１をかぶせて、その粘着シールがコード本体２の表面から剥がれ落ちないように固定するものであってもよい。
【００１９】
また、コード本体２の片端側に取り付ける機器は、温度センサに限らず、湿度センサやガス感知センサ等であってもよいし、集音マイクや照明装置等であってもよい。また、コード本体２の他端側に取り付ける器具も、ＵＳＢプラグ６に限らず、通常一般の電源プラグ等であってもよい。
【産業上の利用可能性】
【００２０】
本発明は、コード本体の片端側に、該コード本体で吊り降ろして使用する機器が取り付けられた電気コードに関して、加工コスト等が嵩まない簡便な手段により、コード本体に機器が吊り降ろされた距離を表示する印を付けて、その有用性を高めるものである。
【図面の簡単な説明】
【００２１】
【図１】本発明に係る電気コードの一例を示す平面図
【図２】図１の電気コードに付設するマーカーを構成する割リングとマーカーを固定する透明な熱収縮性チューブの一例を示す斜視図
【図３】従来の電気コードを例示する平面図
【符号の説明】
【００２２】
１  電気コード
２  コード本体
３  温度センサ
４  感温筒
５  感温体
６  ＵＳＢプラグ
７  マーカー
８  マーカー
Ｒ０〜Ｒ９  割リング
Ｒｍ  割リング
９  凸部
１０  凹部
１１  透明な熱収縮性チューブ
【図１】
2007018806.tif 000003
【図２】
2007018806.tif 000004
【図３】
2007018806.tif 000005